【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
無線通信システムに設けられる無線基地局であって、
当該無線通信システムに割り当てられた占有周波数に加えて、ホワイトスペースを利用した共用周波数を使用して、当該無線基地局に接続される無線通信端末と通信を行う無線通信部と、
前記無線通信端末との通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てる無線資源割り当て決定部と、
を備える無線基地局。
【請求項２】
請求項１に記載の無線基地局であって、
前記無線資源割り当て決定部は、前記占有周波数における無線資源の総量が前記第１のトラフィックの総量よりも大きい場合、前記第２のトラフィックの一部に前記占有周波数の無線資源を割り当てる、無線基地局。
【請求項３】
請求項１に記載の無線基地局であって、
前記無線資源割り当て決定部は、前記第１のトラフィックの総量が前記占有周波数における無線資源の総量よりも大きい場合、前記第１のトラフィックの一部に前記共用周波数の無線資源を割り当てる、無線基地局。
【請求項４】
請求項１に記載の無線基地局であって、
前記共用周波数の無線資源を使用可能であるか否かを判断する共用周波数使用可否判断部を備え、
前記無線資源割り当て決定部は、前記共用周波数使用可否判断部の判断結果に基づき、前記共用周波数の無線資源が使用可能である場合は前記第２のトラフィックに前記共用周波数の無線資源を割り当てる、無線基地局。
【請求項５】
請求項１に記載の無線基地局であって、
前記共用周波数を使用して通信を行う第１の無線通信端末と、前記共用周波数を使用できない第２の無線通信端末とのそれぞれと並列的に通信を行う際に、
前記無線資源割り当て決定部は、前記第１のトラフィックの総量が前記占有周波数における無線資源の総量よりも大きい場合、前記第２の無線通信端末に対する前記第１のトラフィックに前記占有周波数の無線資源を優先的に割り当て、前記第１の無線通信端末に対する前記第１のトラフィックに前記共用周波数の無線資源を割り当てる、無線基地局。
【請求項６】
請求項１に記載の無線基地局であって、
前記無線通信部は、前記無線資源割り当て決定部にて決定された下り回線の無線資源割り当て情報に基づき、前記無線通信端末への送信データに割り当てられた無線資源を使用した送信信号を出力する無線送信部を有する、無線基地局。
【請求項７】
無線通信システムにおいて使用される無線通信端末であって、
当該無線通信システムに割り当てられた占有周波数に加えて、ホワイトスペースを利用した共用周波数を使用して、当該無線通信端末に接続される無線基地局と通信を行う無線通信部を備え、
前記無線通信部は、前記無線基地局との通信が行われるトラフィックが、帯域保証がなされた第１のトラフィックと、帯域保証がなされていない第２のトラフィックとを含む場合、前記第１のトラフィックに前記占有周波数の無線資源を割り当てるように、かつ前記第２のトラフィックに前記共用周波数の無線資源を割り当てるように、前記無線基地局への送信データに割り当てられた無線資源を使用した送信信号を出力する無線送信部を有する無線通信端末。
【請求項８】
請求項７に記載の無線通信端末であって、
前記無線送信部は、前記占有周波数における無線資源の総量が前記第１のトラフィックの総量よりも大きい場合、前記占有周波数の無線資源を使用して前記第２のトラフィックの一部を送信する、無線通信端末。
【請求項９】
請求項７に記載の無線通信端末であって、
前記無線送信部は、前記第１のトラフィックの総量が前記占有周波数における無線資源の総量よりも大きい場合、前記共用周波数の無線資源を使用して前記第１のトラフィックの一部を送信する、無線通信端末。
【請求項１０】
請求項７に記載の無線通信端末であって、
前記無線通信部は、前記無線基地局から報知される上り回線の無線資源割り当て情報を取得し、この無線資源割り当て情報に基づいて前記第１のトラフィック及び前記第２のトラフィックに関する無線資源の割り当てを行う、無線通信端末。
【請求項１１】
請求項７に記載の無線通信端末であって、
前記共用周波数の無線資源を使用可能であるか否かを判断する共用周波数使用可否判断部を備え、
前記無線送信部は、前記共用周波数使用可否判断部の判断結果に基づき、前記共用周波数の無線資源が使用可能である場合は前記第２のトラフィックに前記共用周波数の無線資源を割り当てる、無線通信端末。
【請求項１２】
無線基地局と無線通信端末との間で通信を行う無線通信システムであって、
前記無線基地局は、
前記無線通信端末との間で、当該無線通信システムに割り当てられた占有周波数に加えて、ホワイトスペースを利用した共用周波数を使用して、当該無線基地局に接続される無線通信端末と通信を行う無線通信部と、
前記無線通信端末との通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てる無線資源割り当て決定部と、を備え、
前記無線通信部は、前記無線資源割り当て決定部にて決定された下り回線の無線資源割り当て情報に基づき、前記無線通信端末への送信データに割り当てられた無線資源を使用した送信信号を出力する無線送信部を有するものであり、
前記無線通信端末は、
当該無線通信システムに割り当てられた占有周波数に加えて、ホワイトスペースを利用した共用周波数を使用して、前記無線基地局と通信を行う無線通信部を備え、
前記無線通信部は、前記無線基地局から報知される上り回線の無線資源割り当て情報に基づき、前記無線基地局への送信データに割り当てられた無線資源を使用した送信信号を出力する無線送信部を有する、無線通信システム。
【請求項１３】
無線基地局と無線通信端末との間で通信を行う無線通信システムにおける無線通信方法であって、
前記無線基地局及び前記無線通信端末が、当該無線通信システムに割り当てられた占有周波数に加えて、ホワイトスペースを利用した共用周波数を使用して通信を行い、前記無線基地局と前記無線通信端末との間で通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てるステップを含む、無線通信方法。
【請求項１４】
請求項１２に記載の無線通信システムにおける通信管理方法であって、
前記無線基地局と接続されるコアネットワークに設けられる通信管理部において、
前記無線通信端末の無線通信に関する通信料金として、前記占有周波数の無線資源を使用した通信量と、前記共有周波数の無線資源を使用した通信量とで、異なる重み付けによって通信料金を算出するステップを含む、通信管理方法。
【請求項１５】
無線通信システムに設けられる無線基地局であって、
当該無線通信システムに割り当てられた占有周波数に加えて、ホワイトスペースを利用した共用周波数を使用して通信を行う無線通信部と、
前記無線通信部により通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てる無線資源割り当て決定部と、
を備える無線基地局。
【請求項１６】
無線基地局が通信を行う無線通信システムにおける無線通信方法であって、
前記無線基地局が、当該無線通信システムに割り当てられた占有周波数に加えて、ホワイトスペースを利用した共用周波数を使用して通信を行い、前記無線基地局により通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てるステップを含む、無線通信方法。
【手続補正２】
【補正対象書類名】明細書
【補正対象項目名】０１１３
【補正方法】変更
【補正の内容】
【０１１３】
上記の無線通信システムにおける通信管理方法であって、前記無線基地局と接続されるコアネットワークに設けられる通信管理部において、前記無線通信端末の無線通信に関する通信料金として、前記占有周波数の無線資源を使用した通信量と、前記共有周波数の無線資源を使用した通信量とで、異なる重み付けによって通信料金を算出するステップを含む、通信管理方法。
上記構成により、占有周波数の無線資源を使用した通信量と、共有周波数の無線資源を使用した通信量とで、異なる重み付けによって通信料金を算出することで、共有周波数の無線資源を使用可能な端末を使用するユーザは、共有周波数を使用した場合に安い通信料金で通信を行うことができる。また、占有周波数だけでなく、共有周波数を含めて多くの無線資源を利用可能であるので、より高いスループットでの通信が可能となる。
無線基地局と無線通信端末との間で通信を行う無線通信システムにおける無線通信方法であって、前記無線基地局及び前記無線通信端末が、当該無線通信システムに割り当てられた占有周波数に加えて、ホワイトスペースを利用した共用周波数を使用して通信を行い、前記無線基地局と前記無線通信端末との間で通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てるステップを含む、無線通信方法。
上記手順により、占有周波数に加えて、ホワイトスペースを利用した共用周波数を使用して、無線通信において現在の割り当て周波数の帯域幅に制限されることなく、状況に応じて最大限にスループットと同時接続ユーザ数とを確保することが可能になる。
無線通信システムに設けられる無線基地局であって、当該無線通信システムに割り当てられた占有周波数に加えて、ホワイトスペースを利用した共用周波数を使用して通信を行う無線通信部と、前記無線通信部により通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てる無線資源割り当て決定部と、を備える無線基地局。
上記構成により、占有周波数に加えて、ホワイトスペースを利用した共用周波数を使用して、無線通信において現在の割り当て周波数の帯域幅に制限されることなく、状況に応じて最大限にスループットと同時接続ユーザ数とを確保することが可能になる。
無線基地局が通信を行う無線通信システムにおける無線通信方法であって、前記無線基地局が、当該無線通信システムに割り当てられた占有周波数に加えて、ホワイトスペースを利用した共用周波数を使用して通信を行い、前記無線基地局により通信が行われるトラフィックが、帯域保証がなされた第１のトラフィックと、帯域保証がなされていない第２のトラフィックとを含む場合、前記第１のトラフィックに前記占有周波数の無線資源を割り当て、前記第２のトラフィックに前記共用周波数の無線資源を割り当てるステップを含む、無線通信方法。
上記手順により、占有周波数に加えて、ホワイトスペースを利用した共用周波数を使用して、無線通信において現在の割り当て周波数の帯域幅に制限されることなく、状況に応じて最大限にスループットと同時接続ユーザ数とを確保することが可能になる。